(57)【要約】【課題】ユーザの体型に合わせて、身体の臀部から背部にかけての湾曲度合い、曲がり具合に対応して腰部の適度な固定と動き易さを保持しつつ、装着感の優れたコルセットを提供する。【解決手段】背当て部２の巻付け方向軸Ｌ１に対して、巻付け部３の巻付け方向の軸Ｌ２は、傾きをもって設けられており、その傾きの方向が、図中斜め下方向、つまり、背当て部２における臀部固定側に傾くように設けられている。すなわち、背当て部２の軸Ｌ１と、巻付け部３の軸Ｌ２とを結んだ線が台状になるように構成される。【選択図】図１
0003148958.tif 000002
【実用新案登録請求の範囲】
【請求項１】
身体の腰部に当接する背当て部と、前記背当て部の両端に身体の側面から前方に向かって巻き付け固定する巻付け部と、を備えたコルセットにおいて、
前記巻付け部は、その巻き付け方向を、前記背当て部の巻付け方向に対して傾けて設けられ、
前記巻き付け部の巻き付け方向の軸線が台形の斜辺を形成し、前記背当て部の巻き付け方向の軸線が台形の上底を形成するように構成されたことを特徴とするコルセット。
【請求項２】
前記背当て部には、ポケットが設けられ、
このポケットには、磁石を備えた薄板上のプレートが挿入され、
前記磁石は、前記プレートに対して、背当て部の背当て面方向に向けて、突出して設けられたことを特徴とする請求項１記載のコルセット。
【請求項３】
前記プレートは、剛性を有しつつ、柔軟性ある熱可塑性の合成樹脂からなることを特徴とする請求項２記載のコルセット。
【請求項４】
前記背当て部分のうち、前記コルセットの上部になる背側には、補助ベルトが設けられていることを特徴とする請求項１〜３のいずれか１項に記載のコルセット。
【考案の詳細な説明】
【技術分野】
【０００１】
本考案は、腰部を適度に固定するとともに腰痛の予防及び緩和に最適なコルセットに関する。
【背景技術】
【０００２】
従来から、腰痛の予防及び緩和を目的として、腰部を固定するためのコルセットが多く提案されている。このコルセットは、帯状のベルトを腰部に当接する背当て部と、身体の側方から前側にかけて巻き付ける巻付け部とからなり、巻付け部の先端に設けられた面ファスナーなどの固定手段により身体の前側でベルトを固定して使用するものが一般的である。
【０００３】
一般的に、巻付け部は、一般的に背当て部の巻きつけ方向の両端に設けられており、この両端に設けられた２つの巻付け部を、通常、体幹の前方において真っ直ぐに合わせることによって取り付けている（特許文献１，２参照）。
【０００４】
また、このようなコルセットは、通常、腰部を固定し、腰部の動きを補助することによる腰痛の予防や緩和にあるが、背当て部に磁石やトルマリン等を配設し、血行促進等による積極的な腰痛の緩和を目的とするものもある（特許文献３参照）。
【特許文献１】実開平６−４６７１６号公報
【特許文献２】特開２００２−２３８９３２号公報
【特許文献３】実用新案登録第３１４０２２３号公報
【考案の開示】
【考案が解決しようとする課題】
【０００５】
ところで、このようなコルセットは、背当て部は、臀部から腰部まで覆うことにより、腰部を固定するものができるものであるが、一般的に人体の臀部は、腰部よりその外周が大きく、臀部から腰部へ向けて湾曲を描くようになっている。そのため、コルセットの背当て部分は、この湾曲に沿うようになる必要があるが、従来のように、両端に設けられた２つの巻付け部を、体幹の前方において真っ直ぐに合わせた場合、上述のように外周が小さい側の腰部である背中側のほうが、人体の背中から浮いてしまって、コルセットを全体として体幹にフィットさせるのが難しいことがあった。
【０００６】
このような課題については、巻付け部を人体前側でＶ字になるように、すなわち、背当て部の背中側が、体幹に適正に当接するように、巻付け部を下方に引っ張ることで、対応することが可能である。しかし、一般的に背当て部から巻付け部が一直線上に配置される従来のコルセットでは、ユーザに上記のような装着方法を徹底しない限り、ユーザは体幹の前方において真っ直ぐに合わせて装着するのが普通であった。
【０００７】
また、コルセットに磁石を配設する場合、従来技術では、一枚の磁気パッドに複数の磁石を配置し、これをコルセットのポケットに挿入することとしているが、上述のように、このようなコルセットが用いられる人体臀部から腰部は、その外周の違い等から、湾曲を描いており、その湾曲の程度は、場所や個体によって相違する。このような場合、従来のような一枚の磁気パッドに単に磁石を貼付するだけでは、磁石が人体腰部等に当接する部分とそうでない部分が現われ、予定するコルセットの効果が発揮されない場合があった。
【０００８】
本考案は、上記のような課題を解決するもので、その目的は、ユーザの体型に合わせて、身体の臀部から背部にかけての湾曲度合い、曲がり具合に対応して腰部の適度な固定と動き易さを保持しつつ、装着感の優れたコルセットを提供することにある。
【課題を解決するための手段】
【０００９】
上記の目的を達成するため、請求項１の考案は、身体の腰部に当接する背当て部と、前記背当て部の両端に身体の側面から前方に向かって巻き付け固定する巻付け部と、を備えたコルセットにおいて、前記巻付け部は、その巻き付け方向を、前記背当て部の巻付け方向に対して傾けて設けられ、前記巻き付け部の巻き付け方向の軸線が台形の斜辺を形成し、前記背当て部の巻き付け方向の軸線が台形の上底を形成するように構成されたことを特徴とする。
【００１０】
以上のような本実施形態によれば、背当て部に対する巻付け部の取付方向に特徴を有することにより、背当て部の両端に設けられた巻付け部を重ね合わせた場合に、左右の巻付け部は、Ｖ字状に重なり合い、両端に設けられた２つの巻付け部を、体幹の前方において真っ直ぐに合わせた場合のように、コルセットの背中側のほうが、人体の背中から浮いてしまうようなことがない。
【００１１】
つまり、背当て部の巻き付け方向の軸と、巻付け部の巻き付け方向の軸とを結んだ線が、それぞれ台形の斜辺と上底を形成するように配置することで、巻付け部をその角度に従って重ね合わせて固定するだけで、コルセットの背当て部における背中側が、体幹に適正に当接するように、巻付け部を下方に引っ張った状態となる。これにより、臀部から腰部へ向けて湾曲に合わせて、コルセットを全体として体幹にフィットさせることが可能となる。
【００１２】
請求項２の考案は、請求項１記載の考案において、前記背当て部には、ポケットが設けられ、このポケットには、磁石を備えた薄板上のプレートが挿入され、前記磁石は、前記プレートに対して、背当て部の背当て面方向に向けて、突出して設けられたことを特徴とする。
【００１３】
以上の態様では、コルセットの背当て部を身体の腰部から臀部にかけての腰関節部分に当てた際に、プレートから突出した磁石は、身体の腰部から臀部にかけての腰関節部分に当接するようになり、磁石が患部に適切に当たり、磁石による積極的な腰痛等の緩和という効能を適切に発揮することができるようになる。
【００１４】
請求項３の考案は、請求項２記載の考案において、前記プレートは、剛性を有しつつ、柔軟性ある熱可塑性の合成樹脂からなることを特徴とする。
【００１５】
以上の態様では、プレートが、剛性を有しつつ、柔軟性ある熱可塑性の合成樹脂からなることにより、突出した磁石が、患部に当接した際、プレートが曲がることで磁石の突出量が調節され、これにより磁石の患部への当接圧を適度に調整することが可能となる。
【００１６】
請求項４の考案は、請求項１〜３のいずれか１項に記載の考案において、前記背当て部分のうち、前記コルセットの上部になる背側には、補助ベルトが設けられていることを特徴とする。
【００１７】
以上の態様では、背当て部に補助ベルトが設けられているため、この補助ベルトの締め付けによってコルセットを身体にしっかりと押さえつけることできる。これにより、コルセット全体での固定が可能となる。
【考案の効果】
【００１８】
以上のように、本考案によれば、ユーザの体型に合わせて、身体の臀部から背部にかけての湾曲度合い、曲がり具合に対応して腰部の適度な固定と動き易さを保持しつつ、装着感の優れたコルセットを提供することができる。
【考案を実施するための最良の形態】
【００１９】
次に、本考案のコルセットを実施するための最良の実施形態について、図を参照して説明する。なお、すでに説明した従来の技術と共通の前提事項は再言しない。
【００２０】
［１．構成］
［１−１．全体構成］
図１には、（ａ）と（ｂ）にそれぞれコルセット１の表面側と裏面側の全体構成を示す。同図に示すように、コルセット１は、全体が帯状でなり、中央に身体の腰部に当接する背当て部２と、背当て部２の左右に設けられ身体の側面から前面に巻き付ける巻付け部３ａ，３ｂとからなる。
【００２１】
この巻付け部３ａ、３ｂには、身体の前側においてコルセットを固定する固定部４ａ，４ｂ（以下、まとめて固定部４とする。）が設けられている。この固定部４は、表面と裏面とで異なる構成からなり、表面Ｓには、ループ面ファスナー５が設けられている。一方、裏面Ｌの一方には、フック面ファスナー６が設けられている。すなわち、この裏面Ｌのフック面ファスナー６と表面Ｓのループ面ファスナー５とが貼着することにより、コルセット１は身体に固定されるようになっている。
【００２２】
また、巻付け部３の固定部４より背当て部２側には細かいメッシュ状の側部７が設けられ、固定部４と側部７の間には、図１（ｂ）に示すように、コルセットの巻き方向に対して縦方向に向けて、ゴムをステッチ状に形成した滑り止め８が設けられている。
【００２３】
図１（ａ）に示すように、背当て部２の表面Ｓ側には、巻付け方向に対して縦方向等間隔に４本、補強部材９（図中一点鎖線で示す。）が取り付けられ、表面Ｓ側からカバー１０が補強部材を覆っている。また、図１（ｂ）に示すように、補強部材の間には、側部７と同様なメッシュ素材により、上部が開口する形でポケット１１が２つ設けられている。このポケットには、図２に示すような血行を促進する磁石Ｍを備えたプレート１２が挿入されている。このプレート１２については後述する。
【００２４】
また、この表面Ｓの上側には、左右一対の補助ベルト１３が設けられている。この補助ベルト１３は、伸縮性のあるゴム等の素材からなる補助巻付け部１３ａと、その先端に設けられ、表面に雄側の面ファスナーを裏面に雌側の面ファスナーを設けた備えた補助固定部１３ｂとから構成されている。この補助ベルト１３は、固定部４を身体の腰部に固定した後、左右方向から身体前側に引っ張り、身体前側の固定部４のループ面ファスナー５の下側にＶ字状に貼着して用いるものである。
【００２５】
一方、背当て部２の裏面Ｌ側は、側部７と同様のメッシュ状の生地によって構成され、表面Ｓ側の補強部材９の位置に対応して、巻付け方向縦向き等間隔に４本のゴムステッチからなる滑り止め１４が設けられている。
【００２６】
［１−２．各部の具体的構成］
［背当て部と巻付け部との配置構成］
本実施形態のコルセット１においては、背当て部２と、巻付け部３との配置構成に特徴を有する。すなわち、図１に示すように、背当て部２の巻付け方向軸Ｌ１に対して、巻付け部３の巻付け方向の軸Ｌ２は、傾きをもって設けられており、その傾きの方向が、図中斜め下方向、つまり、背当て部２における臀部固定側に傾くように設けられている。
【００２７】
これを従来のコルセットと比較して示すと、図４に示すように、従来のコルセットでは、背当て部２の軸Ｌ１と、巻付け部３の軸Ｌ２とを結んだ線が一直線上に並ぶように構成される。これに対して、本実施形態のコルセットでは、図１（ａ）に示すように、背当て部２の軸Ｌ１と、巻付け部３の軸Ｌ２とを結んだ線が台形の斜辺及び上底を形成するような関係になるように構成される。
【００２８】
［プレートの具体的構成］
図２を用いて、プレート１２の構成について説明する。上述の通り、補強部材の間には、側部７と同様なメッシュ素材により、このプレート１２は、上部が開口する形で２つ設けられたポケット１１にそれぞれ一つずつ挿入されている。このプレート１２は、熱可塑性の合成樹脂からなり、例えば、ポリエチレン（ＰＥ）、ポリプロピレン（ＰＰ）、ポリ塩化ビニル（ＰＶＣ）、ポリスチレン（ＰＳ）、ＡＢＳ樹脂（アクリロニトリルブタジエンスチレン樹脂）、ＡＳ樹脂等の汎用プラスチックや、ポリカーボネード等のエンジニアリングプラスチックや、シリコン、天然ゴム、合成ゴム、ナイロン等、ある程度の剛性を有しつつ、人体の臀部から腰部に至る湾曲に対応して曲がる柔軟性ある素材からなる。また、ある程度の剛性を有しつつ、人体の臀部から腰部に至る湾曲に対応して曲がる柔軟性ある素材であれば公知のあらゆる材料により構成可能である。
【００２９】
図２（ａ）に示すように、プレート１２には、長軸方向に１列３個の粒状の磁石Ｍが計６個設けられており、この磁石Ｍは、プレート１２に対して隆起するようにして取り付けられている。すなわち、図２（ｂ）に示すように、プレート１２は、磁石Ｍの配置位置に対応して、磁石Ｍを保持する台座１２ａと、この台座１２ａをプレート１２表面よりも一段高い位置に保持する支持脚１２ｂとを備え、この台座１２ａと支持脚１２ｂとにより、磁石Ｍをプレート１２表面より突出するように構成されている。そして、このプレート１２の磁石Ｍが突出した側を裏面Ｌ側に向けるようにして、ポケット１１に挿入される。
【００３０】
なお、このプレート１２上の磁石Ｍの配置は、用途、効用に応じて任意に変更可能であり、例えば図２（ｃ）に示すように、プレート１２の長軸方向に向って、磁石Ｍを４個並べた列を２列と、真ん中に磁石Ｍを３個並べた列を１列設け、計１１個とすることも可能であり、実施形態としては、磁石Ｍを６〜１０個範囲で配置するのがコスト面と効能面等を考慮した最善の態様である。また、磁石Ｍの磁力は、医療機器（医療用具）として、薬事法に基づいて製造販売業許可を受けうる３５０ガウス〜２０００ガウスの範囲で適宜設定可能である。
【００３１】
［補強部材の構成］
次に、補強部材９の具体的構成について、図３を用いて説明する。補強部材９は、弾性の合成樹脂素材からなり、図３に示すように、３段階の厚さからなる。すなわち、背当て部分が身体に当接した場合に、身体の臀部に接する厚部９ａと、臀部と腰部との間に位置する中厚部９ｂと、腰部から背部に位置する薄部９ｃとの３つの厚さから構成される。また、厚部と中厚部との間では、身体の臀部と腰部との間接部分に位置するように、１５０度程度の鈍角で折曲する折曲部９ｄを備えている。
【００３２】
［２．作用効果］
以上のような構成からなる本実施形態の作用効果は次のとおりである。すなわち、使用者はまず、コルセット１の背当て部２を身体の腰部から臀部にかけての腰関節部分に当てる。このとき、補強部材９の折曲部９ｄが関節位置に当接するように上下位置を整える。次に、巻付け部３ａ，３ｂを側方から前面に巻付け、一対の固定部４ａ，４ｂを重ね合わせて、身体前側においてフック面ファスナー６をループ面ファスナー５に対して重ね合わせて固定する。
【００３３】
このとき、本実施形態のコルセット１では、巻付け部３の巻付け方向の軸Ｌ２が、背当て部２の巻付け方向軸Ｌ１に対して、図中斜め下方向、つまり、背当て部２における臀部固定側に傾くように設けられていることから、一対の固定部４ａ，４ｂを重ね合わせた場合には、左右の巻付け部３ａ，３ｂは、Ｖ字状に重なり合うようになる。これにより、コルセット１の背当て部２上部も身体にしっかりと押さえつけることできるようになる。
【００３４】
また、補強部材９の間には、側部７と同様なメッシュ素材により、上部が開口する形でポケット１１が２つ設けられ、このポケット１１には、磁石Ｍを備えたプレート１２がそれぞれ一つずつ挿入されているが、上記のように、磁石Ｍは、この台座１２ａと支持脚１２ｂとにより、プレート１２表面より突出するように構成されており、さらに、プレート１２は、ある程度の剛性を有しつつ、人体の臀部から腰部に至る湾曲に対応して曲がる柔軟性ある素材からなる。そのため、コルセット１の背当て部２を身体の腰部から臀部にかけての腰関節部分に当てた際に、プレート１２から突出した磁石Ｍは、身体の腰部から臀部にかけての腰関節部分に当接し、さらに、支持脚１２ｂが曲がることにより当接圧を適度に調整するようになる。
【００３５】
次に、左右両方の補助ベルト１３を身体前側に引っ張り、補助固定部１３ｂの裏面側に設けられたフック面ファスナーを、すでに互いに貼着された固定部４のループ面ファスナー５最下部にそれぞれ取り付ける。これにより、補助ベルト１３の締め付けによってコルセット１の背当て部２上部を身体にしっかりと押さえつけることできるようになる。
【００３６】
なお、補助固定部１３ｂの表面側には、いずれもループ面ファスナーが取り付けられていることから、補助ベルト１３の一方をループ面ファスナー５に取り付け、さらに、その取り付けた補助ベルト１３の補助固定部１３ｂに対して、他方の補助固定部１３ｂを重ね合わせることによって、補助ベルト１３を補助固定部１３ｂ同士の雌雄の面ファスナーの噛み合わせにより固定することも可能である。この場合、補助ベルト１３を固定部４に固定する場合に比べて、より身体の前側で強く固定することが可能となる。
【００３７】
以上のような本実施形態によれば、背当て部２に対する巻付け部３の取付方向に特徴を有することにより、一対の固定部４ａ，４ｂを重ね合わせた場合には、左右の巻付け部３ａ，３ｂは、Ｖ字状に重なり合い、両端に設けられた２つの巻付け部を、体幹の前方において真っ直ぐに合わせた場合のように、コルセットの背中側のほうが、人体の背中から浮いてしまうようなことがない。
【００３８】
すなわち、背当て部２の軸Ｌ１と、巻付け部３の軸Ｌ２とを結んだ線が台状になるように、背当て部２に対して巻付け部３を傾けて設けているので、巻付け部３をその角度に従って重ね合わせて固定することで、コルセット１の背当て部２における背中側が、体幹に適正に当接するように、巻付け部を下方に引っ張った状態となる。これにより、臀部から腰部へ向けて湾曲に合わせて、コルセットを全体として体幹にフィットさせることが可能となる。
【００３９】
また、コルセット１の背当て部２を身体の腰部から臀部にかけての腰関節部分に当てた際に、プレート１２から突出した磁石Ｍは、身体の腰部から臀部にかけての腰関節部分に当接し、さらに、支持脚１２ｂが曲がることにより当接圧を適度に調整することが可能となる。これにより、磁石Ｍが患部に適切に当たり、磁石Ｍによる積極的な腰痛等の緩和という効能を適切に発揮することができるようになる。
【００４０】
さらに、コルセット１の背当て部２に設けた補強部材９が、曲がり強度の異なる３つの厚みから構成され、さらに、厚部９ａと中厚部９ｂとの間で折曲する折曲部９ｄを備えていることにより、当該折曲部９ｄを身体の臀部と腰部との間の関節部分に当接することによって、身体の臀部から背部にかけてコルセット１をフィットさせることができる。特に、臀部側を厚さの厚い、すなわち曲がり強度の強い厚部９ａで構成し、背部側にかけて、２段階に薄くすることによって、腰関節の曲げ伸ばしによって曲げ量の変わる背部側に対しては、適度な固定と適度な動き易さを保つことができるようになり、腰部の可動域を確保したより正確な固定ができるようになる。
【００４１】
また、補強部材９に対応した位置の裏面Ｌには、ゴムステッチ状の滑り止め１４が施されているため、巻き付け時に補強部材９の位置を合わせを行えば、例えば、腰の曲げ伸ばしなどによってコルセット１がずれるのを防ぐことができる。同様に巻付け部３の側部７にも滑り止め８が施されているため、側部７の固定もしっかりと行うことができる。
【００４２】
ここで、補強部材９に折曲部９ｄが設けられていることにより、使用者によってはコルセット１の上部が臀部から腰部にかけての湾曲よりも反って、コルセット１が外側に向けて離れてしまい、コルセットの十分の固定がなされないこともあるが、本実施形態のコルセット１では、このような事態を、上述のような背当て部２に対する巻付け部３の取付方向に特徴的構成により防ぐことができる。
【００４３】
さらに、本実施形態では、背当て部２の表面Ｓ側上部に補助ベルト１３が設けられているため、この補助ベルト１３の締め付けによってコルセット１上部を身体にしっかりと押さえつけることできる。これにより、コルセット全体での固定が可能となる。特に、補助ベルト１３を、身体の前側下部で、固定部４のループ面ファスナー５に固定することにより、コルセット１全体での固定をより確実に行うことができるようになる。
【００４４】
また、コルセット１は、全体として、固定部４と補強部材９を設けた箇所のほかは、メッシュ素材で構成されているため、長時間装着した場合でも蒸れることはなく、装着感が良い。さらに補強部材９が合成樹脂で形成されているのと相まって、非常に軽量に構成することができる。
【００４５】
［３．他の実施形態］
なお、本考案は上記実施形態に限定されるものではなく、次に例示するような他の実施形態も含むものである。上記実施形態において、補強部材は、３段階の厚みによって構成したが、身体の臀部側から背部側にかけて、徐々に厚みが薄くなるような構成であれば、本実施形態の効果は奏し得る。また、補強部材に折曲部を設けず、全体を湾曲させるような構成としてもよい。さらに、補助ベルトやポケットは必須の構成ではない。
【００４６】
また、固定部における固定手段は、上述の面ファスナーに限られず、コルセットを身体に固定させる手段であればいずれのものでも代用可能であるが、簡易迅速に固定できる手段としては面ファスナーが最適である。
【００４７】
また、本実施形態におけるポケット１１には、磁石に限らず、例えば、使い捨て懐炉などの保温手段を挿入することも可能である。
【図面の簡単な説明】
【００４８】
【図１】本考案の実施形態におけるコルセットの全体構成図。
【図２】本考案の実施形態における磁石を備えたプレートを示す図。
【図３】本考案の実施形態における補強部材の構成を示す斜視イメージ図。
【図４】従来のコルセットの構成を示す模式図。
【符号の説明】
【００４９】
１…コルセット
２…背当て部
３…巻付け部
３ａ，３ｂ…巻付け部
４…固定部
４ａ，４ｂ…固定部
５…ループ面ファスナー
６…フック面ファスナー
７…側部
８，１４…滑り止め
９…補強部材
９ａ…厚部
９ｂ…中厚部
９ｃ…薄部
９ｄ…折曲部
１０…カバー
１１…ポケット
１２…プレート
１２ａ…台座
１２ｂ…支持脚
１３…補助ベルト
１３ａ…補助巻付け部
１３ｂ…補助固定部
Ｍ…磁石
【図１】
0003148958.tif 000003
【図２】
0003148958.tif 000004
【図３】
0003148958.tif 000005
【図４】
0003148958.tif 000006